(57)【特許請求の範囲】
【請求項１】
帳票を配置した所定のエリア全体の画像を取得する機能を持つスキャナによって得たスキャナ画像を格納するためのメモリである、スキャナ画像メモリと、
前記スキャナ画像メモリに格納されたスキャナ画像から、画像中に含まれる帳票の部分を検出する機能を持ち、かつ帳票を検出するのは前回の帳票検出に用いた画像との差分の部分である、帳票画像検出部と、
前記帳票画像検出部で検出した帳票部分を、切り出して1枚の帳票画像とする機能を持つ、帳票画像切り出し部と、
前記帳票画像切り出し部で得た帳票画像を格納するためのメモリである、帳票画像出力メモリで構成される帳票画像取得システムであって、
前記スキャナ画像に複数の帳票が配置されている場合、前回のスキャナ画像と比較して、差分があるエリアのみを対象として、帳票部分を切り出して、複数の帳票画像を得ることができる、帳票画像取得システム。
【請求項２】
一定のエリアに帳票を配置し、単位時間毎に連続してそのエリア全体の画像を取得する機能を持つ、スキャナと、
前記スキャナによって得た画像を格納するためのメモリである、スキャナ画像メモリと、
前記スキャナ画像メモリに単位時間毎に格納される画像を監視し、単位時間ごとの変動量について一定以上のピークを検出した場合に、帳票の置き換えが行なわれたと判断する、スキャナ画像差分検出部と、
画像中に含まれる帳票の部分を検出する機能を持ち、かつ帳票を検出するのは前回の帳票検出に用いた画像との差分の部分である、帳票画像検出部と、
前記帳票画像検出部で検出した帳票部分を、切り出して1枚の帳票画像をする機能を持つ、帳票画像切り出し部と、
前記帳票画像切り出し部で得た帳票画像を格納するためのメモリである、帳票画像出力メモリで構成される帳票画像取得システムであって、
前記スキャナに複数の帳票を配置した場合、スキャナ画像の変動を検出するとともに、前回のスキャナ画像と比較して、差分があるエリアのみを対象として、帳票部分を切り出すことにより、自動的に複数の帳票画像を得ることができる、帳票画像取得システム。
【発明の詳細な説明】
【０００１】
【発明の属する技術分野】
本発明は、主にＯＣＲシステムにて使用するための、帳票画像取得システムに関するものである。
【０００２】
【従来の技術】
一般に、認識対象となる帳票の画像を取得し、認識処理を行なうＯＣＲシステムにおいて、認識に使用する画像は帳票1枚毎に切りだした画像を用いる。帳票の画像を取得する手段としては、一般にスキャナを使用する。スキャナには、いくつかの種類があるが、複数枚の帳票の画像を効率良く取得するためには、シートフィーダ付きのスキャナが適している。特に、ＯＣＲ用に、ナンバリングを行なったり、ドロップアウトカラー機能を持つスキャナも存在する。これらのスキャナでは、複数枚の帳票を、機械的に搬送し、連続して帳票毎の画像を得ることができる。
【０００３】
また、最近では、デジタルカメラを利用した卓上スキャナが、用いられるようになって来ている。ここでいう卓上スキャナとは、机上にスキャナ本体を設置し、スキャナ本体には帳票をセットする場所があり、セットした帳票の画像を、上方に設置したデジタルカメラにより取得するものである。
【０００４】
【発明が解決しようとする課題】
しかしながら、フラットベッドスキャナ等、1枚毎に帳票をセットして、帳票画像を取得するスキャナの場合は、帳票の入れ替えを人手で行うため、複数枚の帳票の画像を得るには、枚数分の帳票のセットを人手で行なわなければならない。また、卓上スキャナでも、フラットベッドスキャナ等、1枚毎に帳票をセットして、帳票画像を取得するスキャナの場合は、帳票の入れ替えを人手で行うため、複数枚の帳票の画像を得るには、枚数分の帳票のセットを人手で行なわなければならない。
本発明では、卓上スキャナにおいても、連続して複数の帳票の画像を得ることを可能とし、帳票画像取得時におけるオペレーターの負担を軽減することを目的とする。
【０００６】
本発明の画像取得システムは、帳票を配置した所定のエリア全体の画像を取得する機能を持つスキャナによって得たスキャナ画像を格納するためのメモリである、スキャナ画像メモリと、前記スキャナ画像メモリに格納されたスキャナ画像から、画像中に含まれる帳票の部分を検出する機能を持ち、かつ帳票を検出するのは前回の帳票検出に用いた画像との差分の部分である、帳票画像検出部と、前記帳票画像検出部で検出した帳票部分を、切り出して1枚の帳票画像とする機能を持つ、帳票画像切り出し部と、前記帳票画像切り出し部で得た帳票画像を格納するためのメモリである、帳票画像出力メモリで構成される帳票画像取得システムであって、前記スキャナ画像に複数の帳票が配置されている場合、前回のスキャナ画像と比較して、差分があるエリアのみを対象として、帳票部分を切り出して、複数の帳票画像を得ることができることを特徴とする。
【０００７】
さらに、本発明の画像取得システムは、一定のエリアに帳票を配置し、単位時間毎に連続してそのエリア全体の画像を取得する機能を持つ、スキャナと、前記スキャナによって得た画像を格納するためのメモリである、スキャナ画像メモリと、前記スキャナ画像メモリに単位時間毎に格納される画像を監視し、単位時間ごとの変動量について一定以上のピークを検出した場合に、帳票の置き換えが行なわれたと判断する、スキャナ画像差分検出部と、画像中に含まれる帳票の部分を検出する機能を持ち、かつ帳票を検出するのは前回の帳票検出に用いた画像との差分の部分である、帳票画像検出部と、前記帳票画像検出部で検出した帳票部分を、切り出して1枚の帳票画像をする機能を持つ、帳票画像切り出し部と、前記帳票画像切り出し部で得た帳票画像を格納するためのメモリである、帳票画像出力メモリで構成される帳票画像取得システムであって、前記スキャナに複数の帳票を配置した場合、スキャナ画像の変動を検出するとともに、前回のスキャナ画像と比較して、差分があるエリアのみを対象として、帳票部分を切り出すことにより、自動的に複数の帳票画像を得ることができることを特徴とする。
【０００８】
【発明の実施の形態】
（第１の実施例）
図１に、本発明の基本構成を示す。スキャナ101は、帳票の画像を得るための部分であり、一定のエリアに帳票を配置し、そのエリア全体の画像を取得する機能を持つ。スキャナ画像メモリ102は、スキャナ101によって得た画像を格納するためのメモリである。帳票画像検出部103は、スキャナ画像メモリ102に格納された画像から、帳票の部分を検出する機能を持つ。帳票画像切り出し部104は、103で検出した帳票部分を、切り出して1枚の帳票画像にする機能を持つ。帳票画像出力メモリ105は、104で得た帳票画像を格納するためのメモリである。
【０００９】
図２の画面例をもとに、第１の実施例の帳票画像取得方法を示す。図２の例では、スキャナの画像取得エリアに、帳票１、帳票２の２枚の帳票を置き、スキャナ画像を取得している。このため、2aのスキャナ画像上には帳票１、帳票２の２枚の帳票が存在している。これ対し帳票検出を行ったものが2bである。白い波線は、帳票１、帳票２のそれぞれの帳票が検出されていることを表しているものである。ここでは分かりやすくするために帳票端の外側に白い線を描いているが、実際には帳票端を検出する。
【００１０】
さらに、帳票切り出しを行ったものが2cである。これらの画像は、帳票画像出力メモリに格納される。ここでは分かりやすくするために背景部分を含んで切り出しているが、帳票部分のみを切り出しても構わない。また、ここでは、帳票を２枚置いているが、３枚以上でも構わない。また、適切に帳票を検出する手段があれば、背景色が黒である必要はない。
【００１１】
(第１の実施例の効果)
前記のように、帳票を複数枚スキャナに置いて、一度に画像を取得し、それぞれの帳票部分の画像を切り出して、複数の帳票画像を出力することにより、作業の効率化を図ることができる。
【００１２】
（第２の実施例）
構成は、第１の実施例と同じであって、帳票検出部は、前回行った帳票検出の際の画像との差分があったエリアのみを、帳票検出の対象とする。
【００１３】
図３は、第２の実施例の帳票画像取得方法である。まず、図３の例では、図２のように、スキャナの画像取得エリアに、帳票１、帳票２の２枚の帳票を置き、スキャナ画像を取得して、帳票切り出しを行って、帳票１、帳票２それぞれの切り出し画像を得た後の状態を想定している。この状態が3aである。ここで、オペレーターは、帳票２を帳票３に置き換えて、画像を取得する。この操作により、スキャナ画像は3bに置き換わる。
【００１４】
帳票検出部はまず前回の帳票検出に用いた画像3aと、今回のスキャナ画像3bとの比較を行う。これにより、3cのように、前回の画像との差分のある部分が検出される。3dは、3cで得られた差分に対して、帳票切り出しを行った結果である。また、ここでは、帳票を一枚のみ置き換えているが、二枚以上の帳票を置き換えた場合でも同様である。
【００１５】
（第２の実施例の効果）
前記のように、帳票を複数枚スキャナに置いて、一度に画像を取得し、それぞれの帳票部分の画像を切り出して出力する場合に、前回の帳票検出に使用した画像との差分を求め、差分のある部分に対してのみ、帳票検出を行うことにより、帳票画像を重複して出力することを防ぐ事ができるようになる。
【００１６】
（第３の実施例）
図４に、第３の実施例のブロック図を示す。スキャナ401は、帳票の画像を得るための部分であり、一定のエリアに帳票を配置し、そのエリア全体の画像を取得する機能を持つ。画像の取得は、ある単位時間毎に自動的に行なわれる。スキャナ画像メモリ402は、スキャナ401によって得た画像を格納するためのメモリである。
【００１７】
スキャナ画像差分検出部403は、スキャナ画像メモリ402を監視し、差分が発生した場合にそれを検出する機能を持つ。帳票画像検出部404は、スキャナ画像メモリ402に格納された画像から、帳票の部分を検出する機能を持つ。帳票画像切り出し部405は、404で検出した帳票部分を、切り出して1枚の帳票画像をする機能を持つ。帳票画像出力メモリ406は、405で得た帳票画像を格納するためのメモリである。
【００１８】
図５は、第３の実施例の帳票画像取得方法である。まず、図５の例では、スキャナの画像取得エリアに、帳票１、帳票２の２枚の帳票を置き、スキャナ画像を取得して、帳票切り出しを行って、帳票１、帳票２それぞれの切り出し画像を得た後の状態を想定している。この状態が5aである。
【００１９】
ここで、オペレーターは、帳票２を帳票３に置き換える。このとき、スキャナ401は一定の単位時間毎に画像を取得しており、スキャナ画像メモリ402は次々に更新されている。その結果、スキャナ画像メモリ402には、しばらくの間5aの画像のまま変化がなく、あるとき5bのような画像が取得され、その後5cのような画像が取得され、しばらくの間5cの画像のまま変化がない状態が続くことになる。
【００２０】
スキャナ画像差分検出部403は、例えば単位時間毎のスキャナ画像メモリの画素の輝度の微分を取るなどして単位時間毎の変動量を監視し、ある一定以上の変動量のピークを検出した場合、帳票が置きかえられたと判断し、帳票画像検出部に通知する。
【００２１】
帳票検出部はまず前回の帳票検出に用いた画像5aと、今回のスキャナ画像5bとの比較を行う。これにより、5cのように、前回の画像との差分のある部分が検出される。5dは、5cで得られた差分に対して、帳票切り出しを行った結果である。また、ここでは、帳票を一枚のみ置き換えているが、二枚以上の帳票を置き換えた場合でも同様である。
【００２２】
（第３の実施例の効果）
前記のように、帳票を複数枚スキャナに置いて、一度に画像を取得し、それぞれの帳票部分の画像を切り出して出力する場合に、単位時間毎に連続して画像取得を行ない、画像の変動を監視して帳票の置換えを検知することにより、画像の取得を自動的に行なうことができるようになるとともに、前回の帳票検出に使用した画像との差分を求め、差分のある部分に対してのみ、帳票検出を行うことにより、帳票画像を重複して出力することを防ぐ事ができるようになる。
【００２３】
（第４の実施例）
構成は、第３の実施例と同じ（図４）であって、スキャナ画像差分検出部403は、処理中であることを通知する手段を有する。
【００２４】
動作は、第３の実施例と同様である。スキャナ画像差分検出部403は、画像の変動を検出すると、処理中であることを外部に通知する。画像の変動が終了したら、帳票画像検出部404に通知するとともに、画像の変動の検出を終了したことを、外部に通知する。
【００２５】
（第４の実施例の効果）
前記のように、画像の変動の検出中であることを外部に通知することにより、検出終了前にオペレーターが再度帳票を置き換えてしまわないように、警告表示等を行なうことが可能になる。
【００２６】
【効果の説明】
以上、第１の実施例から第４の実施例によれば、帳票を複数枚スキャナに置いて、一度に画像を取得し、それぞれの帳票部分の画像を切り出して、複数の帳票画像を出力することにより、作業の効率化を図ることができる。また、帳票を複数枚スキャナに置いて、一度に画像を取得し、それぞれの帳票部分の画像を切り出して出力する場合に、前回の帳票検出に使用した画像との差分を求め、差分のある部分に対してのみ、帳票検出を行うことにより、帳票画像を重複して出力することを防ぐ事ができるようになる。
【００２７】
さらに、帳票を複数枚スキャナに置いて、一度に画像を取得し、それぞれの帳票部分の画像を切り出して出力する場合に、単位時間毎に連続して画像取得を行ない、画像の変動を監視して帳票の置換えを検知することにより、画像の取得を自動的に行なうことができるようになるとともに、前回の帳票検出に使用した画像との差分を求め、差分のある部分に対してのみ、帳票検出を行うことにより、帳票画像を重複して出力することを防ぐ事ができるようになる。また、画像の変動の検出中であることを外部に通知することにより、検出終了前にオペレーターが再度帳票を置き換えてしまわないように、警告表示等を行なうことが可能になる。
【図面の簡単な説明】
【図１】本発明における基本構成の図である。
【図２】第１の実施例の画面例である。
【図３】第２の実施例の画面例である。
【図４】第３の実施例の構成図である。
【図５】第３の実施例の画面例である。
【符号の説明】
101  スキャナ
102  スキャナ画像
103  帳票画像検出部
104  帳票画像切り出し部
105  帳票画像出力メモリ
【図１】
0004396019.tif 000002
【図２】
0004396019.tif 000003
【図３】
0004396019.tif 000004
【図４】
0004396019.tif 000005
【図５】
0004396019.tif 000006